(57)【要約】【課題】小型であっても、圧力損失及び揚水性能の損失が少なく、且つ、所望の停止流量を検出できる給水ユニットを提供すること。【解決手段】給水ユニット１は、ベース１１上に一体に設けられた連結管１２と、連結管１２の一次側に設けられた吸込フランジ１３と、吸込フランジ１３の二次側に設けられた逆止弁１５と、逆止弁１５の二次側であって、且つ、連結管１２に設けられた圧力センサ２２と、圧力センサ２２の二次側であって、且つ、連結管１２に設けられ、パドル４２、パドル４２を回転可能に支持する軸受部４１、パドル４２に設けられた磁石４４及び磁石の磁束密度を検出可能な磁気センサ４５を有する流量センサ２３と、流量センサ２３で検出した流量に応じて吸込フランジ１３の一次側に接続されたポンプ１００を制御する電装部１９と、を備える構成とする。【選択図】      図１
2018066358.tif 000002
【特許請求の範囲】
【請求項１】
ベース上に一体に設けられた連結管と、
前記連結管の一次側に設けられた吸込フランジと、
前記吸込フランジの二次側に設けられた逆止弁と、
前記逆止弁の二次側であって、且つ、前記連結管に設けられた圧力センサと、
前記圧力センサの二次側であって、且つ、前記連結管に設けられ、パドル、前記パドルを回転可能に支持する軸受部、前記パドルに設けられた磁石及び前記磁石の磁束密度を検出可能な磁気センサを有する流量センサと、
前記流量センサで検出した流量に応じて前記吸込フランジの一次側に接続されたポンプを制御する電装部と、
を備えることを特徴とする給水ユニット。
【請求項２】
前記圧力センサ及び前記流量センサは、基部に設けられ、
前記連結管は、前記基部を配置する開口部を有し、
前記基部の下面は前記開口部の開口端と面一又は前記開口端よりも上方に配置されることを特徴とする請求項１に記載の給水ユニット。
【請求項３】
前記流量センサは、前記基部の下面に設けられ、前記パドルの移動を規制する規制部を備え、
前記磁気センサは、前記規制部に設けられ、
前記基部の下面及び前記連結管の前記開口部は、前記規制部に前記パドルが当接したときに、前記パドルを収容する収容空間を構成することを特徴とする請求項２に記載の給水ユニット。
【請求項４】
前記磁気センサは、前記磁石で検出する磁束密度に応じた電圧を前記電装部に出力可能に構成され、
前記電装部は、前記電圧が一定時間の間所定の電圧以下であるときに、前記ポンプを停止することを特徴とする請求項３に記載の給水ユニット。
【発明の詳細な説明】
【技術分野】
【０００１】
本発明は、水中ポンプに用いられる給水ユニットに関する。
【背景技術】
【０００２】
従来から、井戸水を揚水する給水装置として、ポンプ及び給水ユニットを一体に備える構成が知られている（例えば、特許文献１参照）。しかし、井戸水位が１０ｍ以上になると、陸上ポンプの形式では、井戸内にジェットポンプを配置したジェット式の給水装置しか選択肢がない。しかし、ジェットポンプは、大気圧以上の吸上げ揚程を有する井戸水を揚水するために、大量の戻し水流をジェットポンプに送り込む必要があるため、非常にポンプ効率の悪い給水装置を採用せざるを得なかった。
【０００３】
そこで、水中ポンプ及び水中ポンプの二次側に設けられた給水ユニットを備える給水装置も知られている。水中ポンプの二次側に給水ユニットが設けられる給水装置は、給水ユニットに、逆止弁、フロート式の流量スイッチ、アキュムレータ、水中ポンプを制御する電装部が設けられ、流量スイッチで停止流量を検知することで、水中ポンプを停止する。
【０００４】
この停止流量は、アキュムレータの容量や水中ポンプの停止時間を勘案して、例えば３Ｌ／ｍｉｎから４Ｌ／ｍｉｎ程度に設定される。また流量スイッチは、流路上に配置された磁石を内蔵したフロートの位置をリードスイッチで検出することで、停止流量を検出可能に構成される。
【０００５】
このため、給水ユニットは、水中ポンプに接続された接続管と接続する吸込フランジに逆止弁が配置され、逆止弁の二次側の流路が上方に向かって曲折し、当該上方に向かう流路にフロートが配置される。
【先行技術文献】
【特許文献】
【０００６】
【特許文献１】特開２００７−１８７００２号公報
【発明の概要】
【発明が解決しようとする課題】
【０００７】
上述した給水ユニットでは、以下の問題があった。即ち、設置面積の低減のため、給水ユニットは小型化が求められている。このため、逆止弁とフロートとの距離を極力短く配置する構成がとられている。
【０００８】
しかし、逆止弁に当該固定部を中心に回転移動するスイング式や、バネ部材によって弁座に向かって付勢されたスプリング式が用いられるが、これらの逆止弁は稼働スペースを要する。また、流量スイッチは、フロートが昇降する稼働スペース及びフロートを受けるフロート受けが必要である。
【０００９】
このため、従来の技術においては、逆止弁の可動範囲にフロート受けを配置し、逆止弁の稼働時に、逆止弁がフロート受けに当接することで、給水ユニットを小型化とする技術が用いられている。しかし、このような構成の給水ユニットは、流路が逆止弁及びフロート受けによって絞られることから、損失抵抗が増大する、という問題がある。
【００１０】
また、停止流量を３Ｌ／ｍｉｎから４Ｌ／ｍｉｎ程度の低い流量に設定すると、フロートを上昇及び下降させるために、流路とフロートとの間の間隙を狭く設定する必要がある。しかし、当該間隙が狭いと、中流量域及び大流量域においての圧力損失が大きく、水中ポンプの揚水性能を損なう、という問題もある。また、ポンプ起動時等の急激な流量増加があると、フロートがセンサのボディに衝突し、リードスイッチの接点が密着する等の問題が生じる。この問題を解決するために、緩衝用のゴム部材を追加することも考えられるが、製造コストが増大する、という問題がある。また、フロート内の磁石に砂鉄が付着することや、フロートに水垢が付着すると、停止流量が変化する等の問題もある。
【００１１】
そこで本発明は、小型であっても、圧力損失及び揚水性能の損失が少なく、且つ、所望の停止流量を検出できる給水ユニットを提供することを目的としている。
【課題を解決するための手段】
【００１２】
前記課題を解決し目的を達成するために、本発明の給水ユニットは、次のように構成されている。
【００１３】
本発明の一態様によれば、ベース上に一体に設けられた連結管と、前記連結管の一次側に設けられた吸込フランジと、前記吸込フランジの二次側に設けられた逆止弁と、前記逆止弁の二次側であって、且つ、前記連結管に設けられた圧力センサと、前記圧力センサの二次側であって、且つ、前記連結管に設けられ、パドル、前記パドルを回転可能に支持する軸受部、前記パドルに設けられた磁石及び前記磁石の磁束密度を検出可能な磁気センサを有する流量センサと、前記流量センサで検出した流量に応じて前記吸込フランジの一次側に接続されたポンプを制御する電装部と、を備える。
【発明の効果】
【００１４】
本発明によれば、小型であっても、圧力損失及び揚水性能の損失が少なく、且つ、所望の停止流量を検出できる給水ユニットを提供することが可能となる。
【図面の簡単な説明】
【００１５】
【図１】本発明の第１の実施形態に係る給水ユニットの構成を示す断面図。
【図２】同給水ユニットの一部構成を断面で示す平面図。
【図３】同給水ユニットに用いられる圧力センサの構成を示す断面図。
【図４】同給水ユニットに用いられる流量センサの構成を示す断面図。
【図５】本発明の第２の実施形態に係る給水ユニットの構成を示す断面図。
【発明を実施するための形態】
【００１６】
以下、本発明の一実施形態に係る給水ユニット１を、図１乃至図４を用いて説明する。  
図１は本発明の第１の実施形態に係る給水ユニット１の構成を示す断面図、図２は給水ユニット１の一部構成を断面で示す平面図、図３は給水ユニット１に用いられる圧力センサ２２の構成を図１中、ＩＩＩ−ＩＩＩ線断面で示す断面図、図４は給水ユニット１に用いられる流量センサ２３の構成を図ＩＶ−ＩＶ線断面で示す断面図である。なお、図２において、給水ユニット１に用いられるセンサ装置１６は、構成を一部省略して示す。
【００１７】
図１及び図２に示すように、給水ユニット１は、ベース１１と、ベース１１に一体に設けられた連結管１２と、連結管１２の一次側に設けられた吸込フランジ１３と、連結管１２の二次側に設けられた吐出フランジ１４と、連結管１２及び吸込フランジ１３の間に設けられた逆止弁１５と、逆止弁１５の二次側に設けられたセンサ装置１６と、センサ装置１６の二次側に設けられたアキュムレータ１７と、ベース１１に設けられた電装部１９と、を備えている。
【００１８】
給水ユニット１は、その一次側に水中ポンプ１００が接続され、二次側に建造物１１０等に設けられた蛇口やシャワーヘッド等の給水先１２０が接続される。ベース１１は、連結管１２とともに、樹脂材料を用いた射出成形により形成される。ベース１１は、その上面に電装部１９を固定する。ベース１１は、例えば、ベース１１上の構成品を覆うカバーが設けられる。
【００１９】
連結管１２は、一次側が二次側よりも流路面積が大きく構成されるとともに、一次側から二次側に向かう中途部で縮径し、流路面積が小さく構成される。連結管１２は、例えば、ベース１１上に一体に構成される。
【００２０】
連結管１２は、当該中途部の一次側の流路形状が、図３及び図４に示すように異形状に構成され、外周面の一部、例えば、上端部にセンサ装置１６を取り付ける開口部１２ａを有する。また、連結管１２は、二次側の外周面の上端部に、アキュムレータ１７を取り付ける取付部１２ｂを有する。
【００２１】
連結管１２は、例えば、開口部１２ａが設けられる部位の断面形状がＵ字状に構成される。連結管１２は、開口部１２ａの二次側であって、取付部１２ｂの一次側の中途部が縮径し、当該中途部の一次側の流路断面積が当該中途部の二次側の流路断面積よりも大きく構成される。また、連結管１２は、当該中途部の二次側の流路断面形状が円形に構成される。
【００２２】
吸込フランジ１３は、連結管１２の一次側の端部に固定される。吸込フランジ１３は、水中ポンプ１００に接続される配管を固定可能に構成される。吸込フランジ１３は、連結管１２と対向する端面に逆止弁１５を固定可能に構成される。
【００２３】
吸込フランジ１３は、連結管１２側の端部の内径が連結管１２の内径よりも小径に構成される。また、吸込フランジ１３は、当該小径となった部位の端部により構成される、逆止弁１５と当接する座面１３ａを有する。座面１３ａは、吸込フランジ１３の軸方向に対して傾斜して構成される。
【００２４】
逆止弁１５は、吸込フランジ１３及び連結管１２の間に設けられる。逆止弁１５は、吸込フランジ１３及び連結管１２の間を密封する円環状のシール部１５ａと、シール部１５ａの内周面の一部と一体に成形された弁部１５ｂと、を備えている。シール部１５ａは、吸込フランジ１３の端面及び連結管１２の端面の間に挟持される。シール部１５ａは、吸込フランジ１３及び連結管１２に密着して保持されることで、吸込フランジ１３及び連結管１２の間を液封し、且つ、逆止弁１５自体を吸込フランジ１３及び連結管１２の間に固定する。
【００２５】
弁部１５ｂは、円板状に構成され、その外周面の一部がシール部１５ａの内周面の一部と一体に連続して成形される。弁部１５ｂは、シール部１５ａと連続する部位を中心に回転可能に構成される。弁部１５ｂは、吸込フランジ１３と対向する主面が、吸込フランジ１３の座面１３ａと当接可能に構成される。弁部１５ｂは、水中ポンプ１００から供給された水の流れにより、座面１３ａに対して離間する方向に回転可能に構成される。
【００２６】
図１乃至図４に示すように、センサ装置１６は、基部２１と、基部２１に設けられた圧力センサ２２と、基部２１に設けられた流量センサ２３と、温度センサ２４と、を備えている。センサ装置１６は、基部２１に、圧力センサ２２、流量センサ２３及び温度センサ２４が一体に組み立てられることで構成される。
【００２７】
基部２１は、連結管１２の開口部１２ａに固定される。基部２１は、圧力センサ２２、流量センサ２３及び温度センサ２４をそれぞれ構成する各構成品を固定し、又は、支持するとともに、各センサ２２，２３，２４の一部を構成する。
【００２８】
基部２１は、上部を覆う蓋体２１ａを有し、圧力センサ２２、流量センサ２３及び温度センサ２４の構成品の一部を収容する。基部２１は、連結管１２と連続する孔部２１ｂを有する。基部２１は、連結管１２に固定されたときに、基部２１の下面が連結管１２の開口部１２ａの開口端と同一又は当該開口端よりも高い位置に配置される。
【００２９】
図３に示すように、圧力センサ２２は、基部２１の孔部２１ｂに設けられたダイヤフラム３１と、ダイヤフラム３１の上部に設けられた歪みゲージ３２と、ダイヤフラム３１及び歪みゲージ３２の間に設けられた液室３３と、液室３３に充填された非腐食性液体、例えばシリコンオイル３４と、歪みゲージ３２の歪み量を信号に変換する回路基板３５と、を備えている。
【００３０】
回路基板３５は、信号線を介して電装部１９に接続される。圧力センサ２２は、ダイヤフラム３１が連結管１２内の圧力により変化した時に、液室３３内のシリコンオイル３４によって歪みゲージ３２に圧力が印加され、当該圧力に応じた歪みゲージ３２の歪み量を信号に変換することで圧力を検出する。このような圧力センサ２２は、逆止弁１５の二次側であって、且つ、流量センサ２３の一次側に配置される。換言すると、基部２１の孔部２１ｂは、逆止弁１５の二次側であって、且つ、流量センサ２３の一次側に配置される。
【００３１】
図１及び図４に示すように、流量センサ２３は、基部２１の連結管１２内に対向する下面に設けられた軸受部４１と、軸受部４１に設けられたパドル４２と、基部２１に設けられた規制部４３と、パドル４２に内蔵された磁石４４と、規制部４３に設けられた磁気センサ４５と、を備えている。
【００３２】
流量センサ２３は、連結管１２の開口部１２ａの内周面及び基部２１の下面により構成されるパドル４２を収容する収容空間４６を有する。図１に示すように、流量センサ２３は、逆止弁１５の弁部１５ｂの可動範囲よりも二次側に配置される。
【００３３】
軸受部４１は、基部２１に固定される台座４１ａと、台座４１ａに設けられた軸部４１ｂと、を備えている。台座４１ａは、ネジ等の締結部材４１ｃにより、基部２１に固定される。台座４１ａは、連結管１２の流路方向に直交する方向に延びるベース４１ｄと、ベース４１ｄの両端部からベース４１ｄの主面に直交する方向に延びる一対の支持部４１ｅと、を備えている。軸部４１ｂは、丸棒状のピンである。
【００３４】
一対の支持部４１ｅは、軸部４１ｂを支持可能に構成される。また、一対の支持部４１ｅは、その対向面の間にパドル４２の一部を配置可能に構成される。
【００３５】
パドル４２は、略方形の板状に構成される。パドル４２は、パドル４２の一端面を構成する外面の一であって、且つ、当該外面の中央部に設けられ、軸部４１ｂに対して回転可能に軸部４１ｂを貫通する孔部４２ａを有する連結部４２ｂを備えている。
【００３６】
また、パドル４２は、軸部４１ｂを回転軸として回転したときに、規制部４３と対向する位置に磁石４４が設けられる。パドル４２の大きさは、連結管１２内を通過する水の流量が所定の流量となったときに回転して、パドル４２の一方の主面が規制部４３に当接する大きさに設定される。
【００３７】
規制部４３は、パドル４２の回転時に、パドル４２の姿勢が、パドル４２の主面が連結管１２の流路方向に沿う姿勢、換言すると連結管１２の軸方向に沿う姿勢となったときに、パドル４２の主面と当接可能に、基部２１の下面に設けられる。規制部４３は、例えば、有底筒状に突出する突起である。規制部４３は、内部に、磁気センサ４５及び温度センサ２４が配置される。規制部４３の下面は、収容空間４６内に配置される。磁石４４は、永久磁石である。
【００３８】
磁気センサ４５は、規制部４３の内部であって、且つ、回転して規制部４３と当接したパドル４２の磁石と対向する位置に設けられる。磁気センサ４５は、電装部１９に信号線を介して接続される。磁気センサ４５は、磁石４４の磁束密度を検出し、検出した磁束密度を電圧に変換し、電装部１９に信号線を介して送信（出力）可能に構成される。
【００３９】
例えば、磁気センサ４５は、静止した姿勢から規制部４３にパドル４２が当接する姿勢までの移動において、磁束密度が増加することを検出し、当該検出する磁束密度に応じて出力電圧を増加させる。また、磁気センサ４５は、パドル４２が規制部４３に当接した姿勢から静止した姿勢までの移動において、磁束密度が減少することを検出し、当該検出する磁束密度に応じて出力電圧を減少させる。
【００４０】
収容空間４６は、パドル４２が規制部４３と当接したときに、連結管１２の開口部の内周面に対向する位置にパドル４２を配置可能に構成される。換言すると、収容空間４６は、パドル４２が規制部４３と当接したときに、連結管１２の内面により構成される流路上から、パドル４２を退避させてパドル４２を収容する、基部２１及び開口部１２ａにより構成される空間である。
【００４１】
温度センサ２５は、基部２１内の温度、規制部４３の温度又は連結管１２を流れる水の温度を検出可能に構成される。温度センサ２５は、信号線を介して電装部１９に接続される。
【００４２】
電装部１９は、ベース１１上に固定される。電装部１９は、圧力センサ２２、流量センサ２３及び温度センサ２４で検出した情報に基づいて、水中ポンプ１００を制御可能に構成される。
【００４３】
また、電装部１９は、磁気センサ４５の出力電圧に基づいて、水中ポンプ１００の停止流量を調整可能に構成される。例えば、電装部１９は、毎秒当たりの出力電圧を検出し、当該出力電圧が、停止流量に相当する出力電圧以下となる状態が一定時間継続した場合に、停止流量以下であると判断し、水中ポンプ１００を停止する。
【００４４】
このように構成された給水ユニット１によれば、逆止弁１５の二次側に圧力センサ２２を設けることで、圧力センサ２２は、連結管１２内に突出する構成を有さないことから、逆止弁１５及び圧力センサ２２の間の距離を短くすることが可能となる。これにより、連結管１２及びセンサ装置１６の寸法を小さくすることができる。結果、給水ユニット１は、小型化が可能となる。
【００４５】
また、連結管１２の開口部１２ａとセンサ装置１６の基部２１との空間により、パドル４２を収容する収容空間４６を構成することで、回転し、規制部４３に当接したパドル４２は、収容空間４６に収容される。結果、回転したパドル４２連結管１２の流路から退避させることが可能となり、パドル４２による圧力損失の発生を防止することが可能となる。また、パドル４２の回転を規制する規制部４３の下面も、収容空間４６に配置することで、規制部４３による圧力損失の発生を防止することが可能となる。
【００４６】
即ち、給水ユニット１は、逆止弁１５による圧力損失が発生するだけで、他の構成による圧力損失を極力防止することが可能となる。これにより、水中ポンプ１００及び給水ユニット１により構成される給水装置の揚水性能を向上させることが可能となる。
【００４７】
また、流量センサ２３は、逆止弁１５の二次側に設けられた圧力センサ２２の二次側に設けられる構成であることから、逆止弁１５と距離が開いて連結管１２に設けられる。このため、流量センサ２３のパドル４２で受ける水の流れは、逆止弁１５を通過して乱れた後、パドル４２までの距離により整流され、当該整流された流れによりパドル４２が駆動する。結果、パドル４２は、乱れた水の流れを受けにくくなり、停止流量を安定して検出することが可能となる。
【００４８】
また、流量センサ２３は、磁気センサ４５により、磁石の磁束密度を電圧として出力する構成であり、且つ、電装部１９は、一定時間の間、停止流量に相当する出力電圧以下となった場合に、停止流量として水中ポンプ１００を停止する構成である。このため、給水ユニット１は、万が一、軸受部４１やパドル４２が破損した場合等において、パドル４２が落下や二次側に移動したときに、磁束密度がゼロになることを検出できる。結果、給水ユニット１は、流量センサ２３の故障を検出することが可能となり、水中ポンプ１００を安全に停止することが可能となり、締切運転による給水ユニット１の二次側の用水管の漏水事故等を防止することが可能となる。
【００４９】
また、流量センサ２３は、検出したい流量域に適合した磁気感度の磁気センサ４５を選定することで、停止流量の近傍で流量の減少に伴い検出される磁気密度を大きく減少することが設定できる。また、流量センサ２３のパドル４２は、水の流れにより回転（揺動）することで、電装部１９のプログラムにより、出力電圧を決定する。この決定した出力電圧をパラメータとして設定すればよい。
【００５０】
例えば、電装部１９のプログラムにより、毎秒１００ｍｓ間隔で１０回、出力電圧のデータを検出し、これらデータを平均化することで、出力電圧を決定することができる。このため、流量センサ２３は、定められた停止流量で水中ポンプ１００を制御することなく、高い精度で、停止流量を設定し、水中ポンプ１００を制御することが可能となる。
【００５１】
上述したように、給水ユニット１は、小型とすることが可能であって、圧力損失及び揚水性能の損失が少なく、且つ、所望の停止流量を検出することができる。
【００５２】
なお、本発明は前記実施の形態に限定されるものではない。例えば、図５に示す本発明の変形例に係る給水ユニット１Ａに示すように、給水ユニット１Ａに所謂スプリング式の逆止弁１５Ａを用いる構成であってもよい。
【００５３】
このような給水ユニット１Ａは、吸込フランジ１３Ａに逆止弁１５Ａを収容する空間１３ｂを、座面１３ａの二次側に設け、座面１３ａの端面を、水の流れ方向に対して直交する方向に設ける。
【００５４】
逆止弁１５Ａは、例えば、吸込フランジ１３Ａの空間１３ｂに固定され、水の流路を構成する複数の開口５１ａを有する基部５１と、基部５１に支持された弁部５２と、弁部５２を座面１３ａに向かって付勢するばね部材５３と、吸込フランジ１３Ａ及び連結管１２の間に設けられたシール部材５４と、を備える。弁部５２は、基部５１に支持された状態で、水の流れ方向に往復移動可能に構成される。
【００５５】
このような給水ユニット１Ａは、逆止弁１５Ａの二次側に圧力センサ２２を設け、圧力センサ２２の二次側に流量センサ２３を設けることで、上述した給水ユニット１と同様の効果を得ることが可能となる。なお、給水ユニット１Ａは、吸込フランジ１３Ａ及び逆止弁１５Ａの構成以外は、上述した給水ユニット１と同様の構成でよい。
【００５６】
また、例えば、上述した電装部１９は、停止流量の設定を変更可能な操作部を有していてもよい。操作部を有することで、給水ユニット１は、設置現場において当該操作部を操作することで、停止流量を変更することが可能となる。また、操作部は、人為的に操作可能なものであってもよく、パーソナルコンピュータを介して操作可能なものであってもよい。
【００５７】
また、上述した例では、給水ユニット１の一次側に水中ポンプ１００が接続される構成を説明したがこれに限定されず、給水ユニット１と別体に接続される構成であれば、陸上ポンプ等の他のポンプであってもよい。この他、本発明の要旨を逸脱しない範囲で種々変形実施可能である。
【符号の説明】
【００５８】
１、１Ａ…給水ユニット、１１…ベース、１２…連結管、１２ａ…開口部、１２ｂ…取付部、１３、１３Ａ…吸込フランジ、１３ａ…座面、１３ｂ…空間、１４…吐出フランジ、１５、１５Ａ…逆止弁、１５ａ…シール部、１５ｂ…弁部、１６…センサ装置、１７…アキュムレータ、１９…電装部、２１…基部、２１ａ…蓋体、２１ｂ…孔部、２２…圧力センサ、２３…流量センサ、２４…温度センサ、２５…温度センサ、３１…ダイヤフラム、３２…ゲージ、３３…液室、３４…シリコンオイル、３５…回路基板、４１…軸受部、４１ａ…台座、４１ｂ…軸部、４１ｃ…締結部材、４１ｄ…ベース、４１ｅ…支持部、４２…パドル、４２ａ…孔部、４２ｂ…連結部、４３…規制部、４４…磁石、４５…磁気センサ、４６…収容空間、５１…基部、５１ａ…開口、５２…弁部、５３…ばね部材、５４…シール部材、１００…水中ポンプ、１１０…建造物、１２０…給水先。
【図１】
2018066358.tif 000003
【図２】
2018066358.tif 000004
【図３】
2018066358.tif 000005
【図４】
2018066358.tif 000006
【図５】
2018066358.tif 000007
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
ベース上に一体に設けられた連結管と、
前記連結管の一次側に設けられた吸込フランジと、
前記吸込フランジの二次側に設けられた逆止弁と、
前記逆止弁の二次側であって、且つ、前記連結管に設けられた圧力センサと、
前記圧力センサの二次側であって、且つ、前記連結管に設けられ、パドル、前記パドルを回転可能に支持する軸受部、前記パドルに設けられた磁石及び前記磁石の磁束密度を検出可能な磁気センサを有する流量センサと、
前記流量センサで検出した流量に応じて前記吸込フランジの一次側に接続されたポンプを制御する電装部と、
を備え、
前記圧力センサ及び前記流量センサは、基部に設けられ、
前記連結管は、前記基部を配置する開口部を有し、
前記基部の下面は前記開口部の開口端と面一又は前記開口端よりも上方に配置され、
前記流量センサは、前記基部の下面に設けられ、前記パドルの移動を規制する規制部を備え、
前記磁気センサは、前記規制部に設けられ、
前記基部の下面及び前記連結管の前記開口部は、前記規制部に前記パドルが当接したときに、前記パドルを収容する収容空間を構成することを特徴とする給水ユニット。
【請求項２】
前記磁気センサは、前記磁石で検出する磁束密度に応じた電圧を前記電装部に出力可能に構成され、
前記電装部は、前記電圧が一定時間の間所定の電圧以下であるときに、前記ポンプを停止することを特徴とする請求項１に記載の給水ユニット。
【手続補正２】
【補正対象書類名】明細書
【補正対象項目名】００１３
【補正方法】変更
【補正の内容】
【００１３】
本発明の一態様によれば、ベース上に一体に設けられた連結管と、前記連結管の一次側に設けられた吸込フランジと、前記吸込フランジの二次側に設けられた逆止弁と、前記逆止弁の二次側であって、且つ、前記連結管に設けられた圧力センサと、前記圧力センサの二次側であって、且つ、前記連結管に設けられ、パドル、前記パドルを回転可能に支持する軸受部、前記パドルに設けられた磁石及び前記磁石の磁束密度を検出可能な磁気センサを有する流量センサと、前記流量センサで検出した流量に応じて前記吸込フランジの一次側に接続されたポンプを制御する電装部と、を備え、前記圧力センサ及び前記流量センサは、基部に設けられ、前記連結管は、前記基部を配置する開口部を有し、前記基部の下面は前記開口部の開口端と面一又は前記開口端よりも上方に配置され、前記流量センサは、前記基部の下面に設けられ、前記パドルの移動を規制する規制部を備え、前記磁気センサは、前記規制部に設けられ、前記基部の下面及び前記連結管の前記開口部は、前記規制部に前記パドルが当接したときに、前記パドルを収容する収容空間を構成する。
【手続補正３】
【補正対象書類名】明細書
【補正対象項目名】００５７
【補正方法】変更
【補正の内容】
【００５７】
また、上述した例では、給水ユニット１の一次側に水中ポンプ１００が接続される構成を説明したがこれに限定されず、給水ユニット１と別体に接続される構成であれば、陸上ポンプ等の他のポンプであってもよい。この他、本発明の要旨を逸脱しない範囲で種々変形実施可能である。
以下に、本願出願の当初の特許請求の範囲に記載された発明を付記する。
［１］  ベース上に一体に設けられた連結管と、
前記連結管の一次側に設けられた吸込フランジと、
前記吸込フランジの二次側に設けられた逆止弁と、
前記逆止弁の二次側であって、且つ、前記連結管に設けられた圧力センサと、
前記圧力センサの二次側であって、且つ、前記連結管に設けられ、パドル、前記パドルを回転可能に支持する軸受部、前記パドルに設けられた磁石及び前記磁石の磁束密度を検出可能な磁気センサを有する流量センサと、
前記流量センサで検出した流量に応じて前記吸込フランジの一次側に接続されたポンプを制御する電装部と、
を備えることを特徴とする給水ユニット。
［２］  前記圧力センサ及び前記流量センサは、基部に設けられ、
前記連結管は、前記基部を配置する開口部を有し、
前記基部の下面は前記開口部の開口端と面一又は前記開口端よりも上方に配置されることを特徴とする［１］に記載の給水ユニット。
［３］  前記流量センサは、前記基部の下面に設けられ、前記パドルの移動を規制する規制部を備え、
前記磁気センサは、前記規制部に設けられ、
前記基部の下面及び前記連結管の前記開口部は、前記規制部に前記パドルが当接したときに、前記パドルを収容する収容空間を構成することを特徴とする［２］に記載の給水ユニット。
［４］  前記磁気センサは、前記磁石で検出する磁束密度に応じた電圧を前記電装部に出力可能に構成され、
前記電装部は、前記電圧が一定時間の間所定の電圧以下であるときに、前記ポンプを停止することを特徴とする［３］に記載の給水ユニット。